(57)【要約】【課題】飲料缶の着脱を容易に行うとともに、保持具を再利用したり繰り返し使用する。【解決手段】本発明の飲料缶等の飲料缶用保持具は、飲料缶の上端部を下方から挿入する挿入空間を備えた本体と、前記挿入空間に挿入された前記飲料缶の上端部を係止して、前記飲料缶を保持する複数の係止部と、前記複数の係止部のいずれかによる前記飲料缶の係止を解除する操作部と、を有することを特徴とする。【選択図】    図２
2019131194.tif 000002
【特許請求の範囲】
【請求項１】
飲料缶の上端部が下方から挿入される挿入空間を備えた本体と、
前記挿入空間に挿入された前記飲料缶の上端部の周囲を係止して、前記飲料缶を保持する複数の係止部と、
前記複数の係止部のいずれかによる前記飲料缶の係止を解除する操作部と、
を有することを特徴とする飲料缶用保持具。
【請求項２】
請求項１に記載の飲料缶用保持具において、
前記挿入空間の周囲に設けられ、前記複数の係止部の少なくとも１つを有する周壁部を複数有し、
前記操作部は、複数の前記周壁部のいずれか１つである第１周壁部の外周面に設けられる
ことを特徴とする飲料缶用保持具。
【請求項３】
請求項２に記載の飲料缶用保持具において、
前記第１周壁部と、前記第１周壁部に対面する周壁部との間に接続され、前記第１周壁部を支持する支持部を有し、
前記第１周壁部に設けられる係止部は、前記操作部による係止解除の操作時に生じる前記支持部の弾性変形により前記飲料缶の上端部の周囲との係止を解除する
ことを特徴とする飲料缶用保持具。
【請求項４】
請求項３に記載の飲料缶用保持具において、
前記第１周壁部を、前記第１周壁部と隣り合う周壁部に対して弾性変形可能に接続する弾性接続部を有し、
前記第１周壁部に設けられる係止部は、前記弾性接続部を支点として、前記挿入空間側、又は前記挿入空間とは反対側に移動可能である
ことを特徴とする飲料缶用保持具。
【請求項５】
請求項４に記載の飲料缶用保持具において、
前記支持部は、前記第１周壁部と、前記第１周壁部に対面する周壁部との間に接続され、前記第１周壁部を支持するとともに、前記操作部による係止解除の操作時に生じる前記弾性接続部の弾性変形量を抑制する
ことを特徴とする飲料缶用保持具。
【請求項６】
請求項５に記載の飲料缶用保持具において、
前記支持部に設けられ、前記挿入空間に挿入される前記飲料缶により押し当てられることにより前記支持部を弾性変形させるとともに、前記支持部の弾性変形により前記弾性接続部を支点として、前記第１周壁部の係止部を前記挿入空間に挿入された前記飲料缶の上端部の周囲に向けて移動させる被押当部を有する
ことを特徴とする飲料缶用保持具。
【発明の詳細な説明】
【技術分野】
【０００１】
本発明は、ビール等のアルコール飲料や清涼飲料の飲料缶を複数本保持した状態で持ち運ぶことができ、また、複数本保持した状態で積み重ねることができる飲料缶用保持具に関する。
【背景技術】
【０００２】
従来、アルコール飲料や清涼飲料などの飲料缶を複数本まとめて保持して運搬する飲料缶等の飲料缶用保持具が提供されている（特許文献１参照）。特許文献１に開示される飲料缶用保持具では、飲料缶の上部が、飲料缶用保持具が有する複数の保持部に挿入される。その際、飲料缶の口縁（巻き締め部）が複数の係止片を外方に押圧していき、飲料缶の上部が飲料缶用保持具の保持部に完全に挿入されると、飲料缶の口縁により係止片の外方への押圧が解除される。これを受けて、係止片の各々は、初期位置に復帰して飲料缶の外周面に当接し、同時に飲料缶の口縁の下部に引っ掛かった状態となる。したがって、飲料缶が飲料缶用保持具から逸脱することが防止される。なお、特許文献１の飲料缶用保持具では、飲料缶用保持具に保持された飲料缶を飲料缶用保持具の下方に引っ張ることで、係止片に係止された飲料缶の口縁が係止片を下方に折れ曲がるまで押圧し、係止片から外れる。その結果、飲料缶が飲料缶用保持具から外される。
【先行技術文献】
【特許文献】
【０００３】
【特許文献１】特許第３０２００２６号公報
【発明の概要】
【発明が解決しようとする課題】
【０００４】
しかしながら、特許文献１に開示される飲料缶用保持具では、飲料缶用保持具の下方に位置する飲料缶を引っ張ることで、飲料缶を飲料缶用保持具から取り外す必要があり、飲料缶を飲料缶用保持具から取り外しにくいという問題がある。また、この係止片に対しては射出成形時にヒンジ力に強度を与えているが、上述した動作を行った場合、複数の係止片が塑性変形しやすい。係止片の塑性変形は、係止片の破断や、複数の係止片による飲料缶の保持力を低下させる原因となり、飲料缶用保持具を繰り返し使用することができないという問題がある。
【０００５】
本発明は、飲料缶の着脱を容易に行うとともに、保持具を繰り返し使用することができる飲料缶用保持具を提供することにある。
【課題を解決するための手段】
【０００６】
一つの観点によれば、本発明の飲料缶等の飲料缶用保持具は、飲料缶の上端部が下方から挿入される挿入空間を備えた本体と、前記挿入空間に挿入された前記飲料缶の上端部の周囲を係止して、前記飲料缶を保持する複数の係止部と、前記複数の係止部のいずれかによる前記飲料缶の係止を解除する操作部と、を有することを特徴とする。
【０００７】
また、前記挿入空間の周囲に設けられ、前記複数の係止部の少なくとも１つを有する周壁部を複数有し、前記操作部は、複数の前記周壁部のいずれか１つである第１周壁部の外周面に設けられることを特徴とする。
【０００８】
なお、前記第１周壁部と、前記第１周壁部に対面する周壁部との間に接続され、前記第１周壁部を支持する支持部を有し、前記第１周壁部に設けられる係止部は、前記操作部による係止解除の操作時に生じる前記支持部の弾性変形により前記飲料缶の上端部の周囲との係止を解除することを特徴とする。
【０００９】
この場合、前記第１周壁部を、前記第１周壁部と隣り合う周壁部に対して弾性変形可能に接続する弾性接続部を有し、前記第１周壁部に設けられる係止部は、前記弾性接続部を支点として、前記挿入空間側、又は前記挿入空間とは反対側に移動可能であることが好ましい。
【００１０】
また、前記支持部は、前記第１周壁部と、前記第１周壁部に対面する周壁部との間に接続され、前記第１周壁部を支持するとともに、前記操作部による係止解除の操作時に生じる前記弾性接続部の弾性変形量を抑制することを特徴とする。
【００１１】
なお、前記支持部に設けられ、前記挿入空間に挿入される前記飲料缶により押し当てられることにより前記支持部を弾性変形させるとともに、前記支持部の弾性変形により前記弾性接続部を支点として、前記第１周壁部の係止部を前記挿入空間に挿入された前記飲料缶の上端部の周囲に向けて移動させる被押当部を有することを特徴とする。
【発明の効果】
【００１２】
本件開示によれば、操作部の操作により、複数の係止片による飲料缶の係止を解除することができるので、係止片の破損や塑性変形等の発生を防止することができ、また、飲料缶の着脱を容易に行うことができる。
【図面の簡単な説明】
【００１３】
【図１】本発明の飲料缶等の飲料缶用保持具に、１本の飲料缶を取り付けたときの状態を示す斜視図である。
【図２】図１に示す飲料缶用保持具を分解して示す斜視図である。
【図３】（ａ）は本体の平面図、（ｂ）は本体の正面図、（ｃ）は本体の底面図、（ｄ）本体の右側側面図である。
【図４】（ａ）は図３（ａ）におけるＡ−Ａ断面図、（ｂ）は図３（ａ）におけるＢ−Ｂ断面図である。
【図５】（ａ）はカバーの平面図、（ｂ）はカバーの底面図、（ｃ）は図５（ａ）におけるＣ−Ｃ断面図である。
【図６】飲料缶の本体への取り付け及び飲料缶の本体からの取り外しの過程を示す図である。
【発明を実施するための形態】
【００１４】
以下、本発明の実施の形態を図面を用いて説明する。図１は１本の飲料缶を取り付けた状態の飲料缶用保持具を示す斜視図、図２は図１に示す飲料缶用保持具を分解して示す斜視図である。飲料缶用保持具１０は、例えば最大２本の飲料缶１００を着脱可能に保持でき、また、飲料缶１００を取り付けた状態で運搬および陳列できる構造を有する。例えば、飲料缶用保持具１０は、２本の飲料缶１００を下方に取り付けた状態で、他の飲料缶１００を飲料缶用保持具１０の上部に載置することができる。なお、２本の飲料缶１００を取り付けた飲料缶用保持具１０の上部に載置される他の飲料缶１００は、他の飲料缶用保持具１０に取り付けられた２本の飲料缶１００であってもよいし、飲料缶用保持具１０に取り付けられていない飲料缶１００であってもよい。飲料缶用保持具１０に取り付けて保持される飲料缶１００としては、上端部の周囲に巻き締め部１０１がある清涼飲料用の飲料缶や、アルコール飲料用の飲料缶等が挙げられる。
【００１５】
飲料缶用保持具１０は、本体２１、カバー２２及び取手２３を有する。本体２１、カバー２２、取手２３の各々は、例えばポリカーボネートなどの合成樹脂を射出成形することで製造される。なお、これら部材は、着色された合成樹脂を射出成形することで製造されてもよいし、透明な合成樹脂を射出成形することで製造されてもよい。
【００１６】
図３及び図４に示すように、本体２１は、本体２１の剛性を高めるために本体の上面側から底面側に延在する複数の周壁部２６，２７，２８，２９，３０，３１を有する。以下、略円弧状の周壁部２６，２７を第１周壁部２６及び第２周壁部２７、略平板状の周壁部２８，２９を第３周壁部２８及び第４周壁部２９、周壁部３０，３１を第５周壁部３０及び第６周壁部３１と称する。
【００１７】
第１周壁部２６及び第２周壁部２７は、横断面が略円弧状であり、各周壁部２６、２７の開口部分が本体２１の長手方向の両端側に位置するように配置される。したがって、図３（ｃ）に示す本体２１の底面図において、第１周壁部２６及び第２周壁部２７の横断面形状は、略Ｘ字形状となる。
【００１８】
第１周壁部２６は、本体２１の短手方向における一端部が本体２１の長手方向における第３周壁部２８の一端側に接続される。また、第１周壁部２６は、本体２１の短手方向における他端部が本体２１の長手方向における第４周壁部２９の一端側に接続される。
【００１９】
第２周壁部２７は、本体２１の短手方向における一端部が本体２１の長手方向における第３周壁部２８の他端側に接続される。また、第２周壁部２７は、本体２１の短手方向における他端部が本体２１の長手方向における第４周壁部２９の他端側に各々接続される。
【００２０】
第３周壁部２８及び第４周壁部２９は、略平板状であり、本体２１の長手方向（飲料缶１００の並び方向）に沿う両側に相互に対向して設けられる。第３周壁部２８には、本体２１の長手方向の両端側に、本体２１の内側に向けて本体２１の上面に沿って延在する補強部３６，３９が設けられる。第４周壁部２９には、本体２１の長手方向の両端側に、本体２１の内側に向けて本体２１の上面に沿って延在する板状の補強部３７，４０が設けられる。
【００２１】
第５周壁部３０及び第６周壁部３１は、本体２１の短手方向に沿う両側に相互に対向して設けられる。第５周壁部３０は、周壁部２６に対面する位置に配置される。第５周壁部３０は、本体２１の短手方向における一端部が第３周壁部２８の一端部に設けた補強部３６に接続され、本体２１の短手方向における他端部が第４周壁部２９の一端部に設けた補強部３７に接続される。なお、第５周壁部３０は、補強部３６，３７の厚みよりも薄い厚さに設定された薄肉部６１，６２を介して、補強部３６，３７に接続される。薄肉部６１，６２は、本体２１の中心からの距離が互いに同じであり、本体２１の長手方向において、同一位置に設けられる。
【００２２】
第６周壁部３１は、周壁部２７に対面する位置に配置される。第６周壁部３１は、本体２１の長手方向における一端部が第３周壁部２８の他端部に設けた補強部３９に、本体２１の短手方向における他端部が第４周壁部２９の他端部に設けた補強部４０に接続される。なお、第６周壁部３１は、補強部３９，４０の厚みよりも薄い厚さに設定された薄肉部６３，６４を介して補強部３９，４０に接続される。薄肉部６３，６４は、本体２１の中心からの距離が互いに同じであり、本体２１の長手方向において、同一位置に設けられる。
【００２３】
なお、本体２１が複数の周壁部を有することで、本体２１は、第１周壁部２６、第３周壁部２８、第４周壁部２９及び第５周壁部３０で囲まれる内部空間と、第２周壁部２７、第３周壁部２８、第４周壁部２９及び第６周壁部３１で囲まれる内部空間とを有する。そして、これら内部空間が、飲料缶１００（図１）の巻き締め部１０１側の上端部が挿入される挿入空間となる。以下、第１周壁部２６、第３周壁部２８、第４周壁部２９及び第５周壁部３０で囲まれる内部空間を第１挿入空間３３と称する。また、第２周壁部２７、第３周壁部２８、第４周壁部２９及び第６周壁部３１で囲まれる内部空間を第２挿入空間３４と称する。
【００２４】
ここで、飲料缶１００は、内容量に応じて缶の外径が異なる場合がある。したがって、上述した周壁部によって形成される第１挿入空間３３及び第２挿入空間３４の大きさは、保持する缶の外径に基づいて設定される。
【００２５】
第１周壁部２６の周方向における中点近傍には、第１挿入空間３３の上端部において、第１挿入空間３３の中心に向けて突出する板状の補強部３５が設けられる。第３周壁部２８において、本体２１の長手方向における一端部には、第１挿入空間３３の上端部において、第１挿入空間３３の中心に向けて突出する板状の補強部３６が設けられる。第４周壁部２９において、本体２１の長手方向における一端部には、第１挿入空間３３の上端部において、第１挿入空間３３の中心に向けて突出する板状の補強部３７が設けられる。同様にして、第２周壁部２７の周方向における中点近傍には、第２挿入空間３４の上端部において、第２挿入空間３４の中心に向けて突出する板状の補強部３８が設けられる。第３周壁部２８において、本体２１の長手方向における他端部には、第２挿入空間３４の上端部において、第２挿入空間３４の中心に向けて突出する板状の補強部３９が設けられる。第４周壁部２９において、本体２１の長手方向における他端部には、第２挿入空間３４の上端部において、第２挿入空間３４の中心に向けて突出する板状の補強部４０が設けられる。なお、本実施形態では、第１挿入空間３３及び第２挿入空間３４の上部に、補強部３５，３６，３７，３８，３９，４０を設けることで、本体２１の強度及び剛性を高めた構成となっている。
【００２６】
第１周壁部２６及び第５周壁部３０は、第１挿入空間３３への飲料缶１００の挿入時に、飲料缶１００の巻き締め部１０１に係止する係止片４１，４２，４３を有する。係止片４１，４２は、第１周壁部２６の周方向における両端部に配置される。係止片４１，４２は、第１周壁部２６において、本体２１の底面から上面側に向けて、且つ第１挿入空間３３の中心側に向けて延在する形状である。また、係止片４３は、本体２１の短手方向において、第５周壁部３０の中央部分に配置される。係止片４３は、第５周壁部３０において、本体２１の底面から上面側に向けて、且つ第１挿入空間３３の中心側に向けて延在する形状である。なお、係止片４１，４２，４３は、例えば横断面が略円形状の第１挿入空間３３内において、１２０°などの一定の角度ピッチで配置される。
【００２７】
第２周壁部２７及び第６周壁部３１は、第２挿入空間３４への飲料缶１００の挿入時に、飲料缶１００の巻き締め部１０１に係止する係止片４４，４５，４６を有する。係止片４４，４５は、第２周壁部２７の周方向における両端部に配置される。係止片４４，４５は、第２周壁部２７において、本体２１の底面から上面側に向けて、且つ第２挿入空間３４の中心側に向けて延在する形状である。また、係止片４６は、本体２１の短手方向において、第６周壁部３１の中央部分に配置される。係止片４６は、第６周壁部３１において、本体２１の底面から上面側に向けて、且つ第２挿入空間３４の中心側に向けて延在する形状である。なお、係止片４４，４５，４６は、例えば横断面が略円形状の第２挿入空間３４内において、１２０°などの一定角度ピッチで配置される。
【００２８】
第３周壁部２８は、本体２１の長手方向における中央部分に係合部４７を有する。係合部４７は、カバー２２の突出片８７の内面に設けた係止突起８７ａと係合する。また、第３周壁部２８は、本体２１の長手方向における中央部分に、上面から突出するＬ字状の舌片４８を有する。舌片４８は、中央に挿通孔４８ａを有する。挿通孔４８ａは、取手２３の一端側に有する係止部９０が挿通される。また、舌片４８は、本体２１上に載せられるカバー２２の位置決め用の突起４９を本体２１の上面に有する。位置決め用の突起４９は、本体２１をカバー２２に取り付ける際に、カバー２２に設けた係合溝８５に係合される。
【００２９】
第４周壁部２９は、本体２１の長手方向における中央部分に係合部５１を有する。係合部５１は、カバー２２の突出片８８の内面に設けた係止突起８８ａと係合する。また、第４周壁部２９は、本体２１の長手方向における中央部分に、上面から突出するＬ字状の舌片５２を有する。舌片５２は、中央に挿通孔５２ａを有する。挿通孔５２ａは、取手２３の一端側に有する係止部９１が挿通される。また、舌片５２は、本体２１上に載せられるカバー２２の位置決め用の突起５３を有する。位置決め用の突起５３は、本体２１をカバー２２に取り付ける際に、カバー２２に設けた係合溝８６に係合される。
【００３０】
なお、本体２１の長手方向において、舌片４８が有する挿通孔４８ａと、舌片５２が有する挿通孔５２ａとは、同一位置に配置される。
【００３１】
補強部３５と第５周壁部３０との間には、例えば板状の支持部材５６が配置される。支持部材５６は、第５周壁部３０を支持するとともに、薄肉部６１，６２に過剰な外力が働くことを防止することで、薄肉部６１，６２の破損を防止する。また、薄肉部６１，６２は、第５周壁部６０の移動時に、支持部材５６の弾性変形量を抑制する。支持部材５６は、本体２１の平面視において、補強部３５から第１挿入空間３３の中心に向けて延出され、第１挿入空間３３の中心近傍で二叉に分岐され、第５周壁部３０に接続される。つまり、支持部材５６は、略Ｙ字形状の部材である。以下、第１挿入空間３３の中心近傍から二叉に分岐された各々の片を、分岐片５６ａ，５６ｂと称する。分岐片５６ａ，５６ｂは、第５周壁部３０の近傍で下方（本体２１の底面側）に折れ曲がり、折れ曲がった先端部が第５周壁部３０の両端部近傍の底面側に接続される。
【００３２】
また、補強部３８から第６周壁部３１との間には、例えば、板状の支持部材５７が配置される。支持部材５７は、第６周壁部３１を支持するとともに、薄肉部６３，６４に過剰な外力が働くことを防止することで、薄肉部６３，６４の破損を防止する。また、薄肉部６３，６４は、第５周壁部６０の移動時に、支持部材５７の弾性変形量を抑制する。支持部材５７は、本体２１の平面視において、補強部３８から第２挿入空間３４の中心に向けて延出され、第２挿入空間３４の中心近傍で二叉に分岐され、第６周壁部３１に接続される。つまり、支持部材５７は、支持部材５６と同様に、略Ｙ字形状の部材である。以下、第２挿入空間３４の中心近傍から二叉に分岐された各々の片を、分岐片５７ａ，５７ｂと称する。分岐片５７ａ，５７ｂは、第６周壁部３１の近傍で下方（本体２１の底面側）に折れ曲がり、折れ曲がった先端部が第６周壁部３１の両端部近傍の底面側に接続される。
【００３３】
上述した複数の周壁部のうち、第５周壁部３０は、本体２１の短手方向における中央の底面に押上片６６を有する。押上片６６は、本体２１の第１挿入空間３３に保持される飲料缶１００を取り外すときに底面側から上面側に向けて押し上げる部材である。押上片６６を押し上げると、第５周壁部３０が薄肉部６１，６２を中心として上面側方向に回動し、第５周壁部３０が有する係止片４３が飲料缶１００が有する巻き締め部１０１の下方から退避される。同様にして、第６周壁部３１は、本体２１の短手方向における中央の底面に押上片６７を有する。押上片６７は、本体２１の第２挿入空間３４に保持される飲料缶１００を取り外すときに底面側から上面側に向けて押し上げられる部材である。押上片６７を押し上げると、第６周壁部３１が薄肉部６３，６４を中心として上面側方向に回動し、第６周壁部３１が有する係止片４６が飲料缶１００が有する巻き締め部１０１の下方から退避される。これら押上片６６，６７は、飲料缶用保持具１０から飲料缶１００を取り外す際に操作される操作部として機能する。
【００３４】
上述した支持部材５６は、二叉に分岐する部分の底面側に被押当部７１を有する。被押当部７１は、飲料缶１００を第１挿入空間３３に挿入したときに、挿入される飲料缶１００の上端部に設けたプルトップ１０２（図１）が押し当てられる。挿入される飲料缶１００のプルトップ１０２が被押当部７１に押し当てられることで、支持部材５６の分岐片５６ａ，５６ｂの被押当部７１側が上方に弾性変形する。その結果、第５周壁部３０に固定されている分岐片５６ａ，５６ｂの先端側が反力により下方に弾性変形し、第５周壁部３０の底面側が飲料缶１００の外周に向けて僅かに変形する。これにより、第５周壁部３０に設けた係止片４３の先端の飲料缶１００の巻き締め部１０１の下部への移動量を大きくすることができ、第１挿入空間３３に挿入された飲料缶１００を飲料缶用保持具１０に確実に保持することができる。同様にして、支持部材５７は、二叉に分岐する部分の底面側に被押当部７２を有する。被押当部７２の機能は、被押当部７１の機能と同一であることから、ここでは、その詳細については省略する。被押当部７２により、第６周壁部３１に設けた係止片４６の先端による飲料缶１００の巻き締め部１０１の下部への移動量を大きくすることができ、第２挿入空間３４に挿入された飲料缶１００を飲料缶用保持具１０に確実に保持することができる。
【００３５】
なお、被押当部７１の高さ（厚さ）は、係止片４１，４２，４３の高さに依存される。つまり、飲料缶１００のプルトップ１０２を被押当部７１に押し当てた状態で、係止片４１，４２，４３の先端が飲料缶１００の巻き締め部１０１の下部に係止できるように、被押当部７１の高さや係止片４１，４２，４３の高さ（長さ）が設定される。なお、被押当部７２及び係止片４４，４５，４６の高さも同様に設定される。
【００３６】
図１および図５に示すカバー２２は、本体２１の上面を被覆する部材である。カバー２２の上面側には、長手方向に配置した２個の凹部８１，８２が設けられる。なお、カバー２２の説明において、「上面」は、カバー２２を本体２１に被覆した状態で、本体２１と反対側の面を示し、「底面」はカバー２２を本体２１に被覆した状態で、本体２１側の面を示す。凹部８１，８２は、カバー２２において、本体２１の第１挿入空間３３および第２挿入空間３４に対応する位置に設けられる。凹部８１，８２は、底面に向けて縮径される、平面視円形状の凹部である。凹部８１，８２は、底面の中央に上方に突出する嵌合台部８１ａ，８２ａを有する。嵌合台部８１ａ，８２ａには、カバー２２に載置される飲料缶１００の底部の凹み部分挿入され、カバー２２に載置された飲料缶１００の決められた位置に保持する。したがって、嵌合台部８１ａ，８２ａの直径は、飲料缶１００の底部の凹み部分の内径よりも小さく設定される。なお、図１、図２及び図５においては、嵌合台部８１ａ，８２ａの表面に対して、文字やマークなどを施していない状態を表しているが、射出成形時に嵌合台部８１ａ，８２ａの表面に文字やマークを施すことも可能である。なお、嵌合台部８１ａ，８２ａの表面に施す文字やマークは印刷やシールなどであってもよい。
【００３７】
カバー２２は、長手方向における２つの凹部８１，８２の間に、カバー２２の上面から隆起する隆起部８３，８４を有する。隆起部８３は、カバー２２を本体２１に載置したときに、本体２１に設けた舌片４８が収納される空間を有する。隆起部８４は、カバー２２を本体２１に載置したときに、本体２１に設けた舌片５２が収納される空間を有する。隆起部８３，８４は、舌片４８，５２を収納した状態で、舌片４８，５２に設けた挿通孔４８ａ，５２ａと連通する挿通孔８３ａ，８４ａを有する。カバー２２の底面には、本体２１の舌片４８が有する突起４９，及び本体２１の舌片５２が有する突起５３が係合する係合溝８５，８６を有する。
【００３８】
カバー２２は、短手方向の両端部に上面から底面に向けて延出された突出片８７，８８を有する。突出片８７，８８は、カバー２２の長手方向に延出される板形状である。突出片８７，８８は、各々の突出片が対峙する面に、本体２１の第３周壁部２８に設けた係合部４７及び第４周壁部２９に設けた係合部５１に各々係合される係止突起８７ａ，８８ａを有する。
【００３９】
取手２３は、略Ｃ字形状の棒状の部材であり、例えば樹脂により形成される。取手２３は、両端部分に、係止部９０，９１を有する。係止部９０，９１は、先端に向けて縮径される円錐台形状である。なお、係止部９０，９１の最大径は、取手２３の直径よりも大きく設定される。なお、係止部９０は、本体２１にカバー２２が載置された後に、カバー２２が有する隆起部８３の挿通孔８３ａ、本体２１が有する舌片４８の挿通孔４８ａの順で挿通される。同様にして、係止部９１は、カバー２２が有する隆起部８４の挿通孔８４ａ、本体２１が有する舌片５２の挿通孔５２ａの順で挿通される。なお、カバー２２が載置された本体２１に取手２３を取り付けると、取手２３を広げない限り、取手２３は、本体２１およびカバー２２から取り外せない。
【００４０】
次の本実施形態の作用について説明する。なお、図６については、飲料缶用保持具１０においては、本体２１のみを記載しているが、実際には、本体２１はカバー２２や取手２３を装着していてもよい。以下、第１挿入空間３３に飲料缶１００を挿入する場合について説明する。図６（ａ）に示すように、飲料缶１００の上部（巻き締め部１０１側）は、本体２１の底面側から、第１挿入空間３３に挿入される。なお、飲料缶１００の第１挿入空間３３への挿入は、テーブルの上などに置かれた飲料缶１００に本体２１を被せて、本体２１を飲料缶１００に向けて押圧することで行われてもよい。
【００４１】
図６（ｂ）に示すように、飲料缶１００の上部を第１挿入空間３３に挿入すると、飲料缶１００の巻き締め部１０１が、各周壁部が有する係止片４１，４２，４３の先端側に当接される。これら係止片のうち、第１周壁部２６に配置された係止片４１，４２（図示略）は、飲料缶１００の巻き締め部１０１の押圧を受けて第１周壁部２６側に弾性変形する。一方、第５周壁部３０に配置される係止片４３は、弾性変形しながら、飲料缶１００の巻き締め部１０１からの押圧力を第５周壁部３０に伝達する。上述したように、第５周壁部３０は、支持部材５６に接続され、また、第５周壁部３０と補強部３６との間の薄肉部６１及び第５周壁部３０と補強部３７との間の薄肉部６２を弾性接続部として接続されている。したがって、第５周壁部３０は、支持部材の５６の根本（支持部材５６と補強部３５とが接続される部分）を支点として弾性変形しながら、薄肉部６１，６２を支点として、Ｈ方向に回動する。その結果、第５周壁部３０が薄肉部６１，６２を支点として回動する際の薄肉部６１，６２の弾性変形量が抑制される。なお、第５周壁部３０の回動時に働く応力は、薄肉部６１，６２だけでなく支持部材５６に分散することになるので、薄肉部６１，６２が割れる等の不具合を防止することができる。
【００４２】
図６（ｃ）に示すように、飲料缶１００は、上面に設けた飲料缶１００のプルトップ１０２が被押当部７１に当接されるまで、第１挿入空間３３に挿入される。飲料缶１００のプルトップ１０２が被押当部７１に当接されるまで、飲料缶１００を第１挿入空間３３に挿入すると、飲料缶１００の巻き締め部１０１による係止片４１，４２，４３の押圧が解除される。飲料缶１００の巻き締め部１０１による押圧の解除を受けて、係止片４１，４２は、復帰力によって初期位置（飲料缶１００が挿入されていないときの係止片４１，４２の位置）に復帰する。係止片４１，４２が初期位置に復帰すると、係止片４１，４２の先端が飲料缶１００の巻き締め部１０１の下部に引っ掛かり、係止片４１，４２と飲料缶１００の巻き締め部１０１とが係止された状態となる。すなわち、飲料缶１００は、本体２１（飲料缶用保持具１０）により保持される。
【００４３】
一方、第５周壁部３０が有する係止片４３も、復帰力によって初期位置に復帰するとともに、第５周壁部３０が初期位置に復帰する。例えば飲料缶１００のプルトップ１０２が被押当部７１に当接された後も、飲料缶１００を挿入させ続けると、上方に押圧される被押当部７１により支持部材５６の中央部分（二叉に分岐する箇所）が上方に弾性変形する。この弾性変形により、第５周壁部３０が、第５周壁部３０と補強部３６との間の薄肉部６１及び第５周壁部３０と補強部３７との間の薄肉部６２を弾性接続部として下方（図６（ｃ）中Ｉ方向）に回動する。したがって、第５周壁部３０の係止片４３は、それ自体に働く復帰力の他、第５周壁部３０が移動するときに働く応力により、飲料缶１００の巻き締め部１０１の下部に移動される。したがって、第５周壁部３０の係止片４３は、飲料缶１００の巻き締め部１０１に確実に係止される。すなわち、第５周壁部３０と補強部３６との間、及び第５周壁部３０と補強部３７との間の各々に薄肉部を設けているので、飲料缶１００を保持した状態において、本体２１の強度不足に起因した飲料缶１００の逸脱を防止することができる。
【００４４】
なお、第２挿入空間３４に飲料缶１００を挿入したときも、第１挿入空間３３に飲料缶１００を挿入したときと同様の動作となるので、ここでは、その説明を省略する。
【００４５】
飲料缶１００が保持された飲料缶用保持具１０は、取手２３を把持することで持ち上げられて運搬される。飲料缶用保持具１０を運搬しているときには、係止片４１，４２，４３が飲料缶１００の巻き締め部１０１を吊り上げている。したがって、飲料缶１００が飲料缶用保持具１０から逸脱することが確実に防止される。
【００４６】
図６（ｄ）に示すように、飲料缶用保持具１０に係止された飲料缶１００を取り外すときには、第５周壁部３０の外周に設けた押上片６６が、Ｊ方向（斜め上方）に押し上げられる。押上片６６が押し上げられると、支持部材５６の分岐片５６ａ，５６ｂの第５周壁部３０側の端部が、被押当部７１の近傍を支点として上方に弾性変形する。第５周壁部３０の両端部は、薄肉部６１，６２に接続されている。したがって、第５周壁部３０は、薄肉部６１，６２を支点として回動する。このとき、第５周壁部３０に働く外力が、薄肉部６１，６２だけでなく、支持部材５６の分岐片５６ａ，５６ｂに分散される。したがって、薄肉部６１，６２の弾性変形量が抑制され、薄肉部６１，６２が割れるなどの不具合を防止することができる。
【００４７】
第５周壁部３０が回動すると係止片４２も回動するので、係止片４２の上端部が飲料缶１００の巻き締め部１０１の下部から退避される。これにより、第５周壁部３０の係止片４３と飲料缶１００の巻き締め部１０１との係止が解除される。その結果、飲料缶１００を下方に引き抜くときに、他の係止片４１，４２と飲料缶１００の巻き締め部１０１との係止状態を解除させやすくなる。その結果、飲料缶１００を容易に引き抜くことが可能となる。なお、飲料缶１００の飲料缶用保時具からの取り外しは、飲料缶１００がテーブルの上などに置かれた状態で、押上片６６をＪ方向に押し上げることで行われてもよい。
【００４８】
本実施形態では、２本の飲料缶を保持する飲料缶用保持具について説明しているが、飲料缶用保持具が保持する飲料缶の本数は、３本以上としてもよい。例えば保持する飲料缶の本数が偶数であれば、挿入空間を、例えば２×ｍ（ｍ＝１，２，３，・・・）となるように配置することも可能である。また、飲料缶の本数が３本から６本の間であれば、例えば本数に合わせた多角形の頂点が挿入空間の中心となるように、各挿入空間を配置することも可能である。
【００４９】
本実施形態に開示される飲料缶用保持具は、１つの飲料缶用保持具により例えば２本の飲料缶を保持する形態である。本実施形態に開示される飲料缶用保持具を複数組み合わせて、より多くの飲料缶を保持して運搬できるようにしてもよい。また、２本の飲料缶を保持して運搬できる飲料缶用保持具の代わりに、１本の飲料缶を保持する飲料缶用保持具を複数組み合わせて、複数本の飲料缶を保持できるようにしてもよい。
【００５０】
本実施形態では、第１挿入空間３３及び第２挿入空間３４に配置される係止片を３個としているが、各挿入空間に配置される係止片の数は、４個以上であってもよい。
【００５１】
本実施形態では、第１周壁部２６及び第２周壁部２７に２個の係止片を配置し、第５周壁部３０及び第６周壁部３１に１個の係止片を配置した場合を説明しているが、第１周壁部２６及び第２周壁部２７に１個の係止片を配置し、第５周壁部３０及び第６周壁部３１に２個の係止片を配置してもよい。
【００５２】
本実施形態では、第１挿入空間を形成する複数の周壁部のうちの第５周壁部と、第２挿入空間を形成する複数の周壁部のうちの第６周壁部とに、押上片を各々設けているが、押上片を配置する周壁部は、各挿入空間を構成する複数の周壁部のいずれか１つに限定されるものではない。つまり、挿入空間を構成する周壁部のうち、係止片が配置される周壁部が複数配置される場合には、これら周壁部に押上片を配置する。この場合、押上片が配置される２つ以上の周壁部のいずれか、又は２つ以上の周壁部を全て、本実施形態と同様に上方に押し上げることで、押し上げた係止片を飲料缶の巻き締め部の下方から退避させることができる。
【００５３】
本実施形態では、第５周壁部３０を支持する支持部材５６、及び第６周壁部３１を支持する支持部材５７の形状を、被押当部７１が設けられる箇所で二叉に分岐させたＹ字形状としているが、これら支持部材の形状はＹ字形状に限定される必要はなく、Ｘ字形状としてもよい。また、支持部材は、被押当部７１が設けられる箇所で二叉に分岐させているが、三つ叉に分岐してもよい。
【００５４】
本実施形態では、飲料缶用保持具は、本体、カバー及び取手を構成部品としているが、本体及び取手のみを構成部品としてもよい。また、本体とカバーとを一体とした構成の飲料缶用保持具としてもよい。なお、本体及びカバーを一体成形品とした場合、射出成形では製造できない場合もある。このような場合には、例えば支持部材を別の構成部品として製造し、本体とカバーとの一体成形品に固着すればよい。
【符号の説明】
【００５５】
１０…飲料缶用保持具、２１…本体、２２…カバー、２３…取手、２６…第１周壁部、２７…第２周壁部、２８…第３周壁部、２９…第４周壁部、３０…第５周壁部、３１…第６周壁部、３３…第１挿入空間、３４…第２挿入空間、４１，４２，４３，４４，４５，４６…係止片、５６，５７…支持部材、６６，６７…押上片、７１，７２…被押当部、１００…飲料缶
【図１】
2019131194.tif 000003
【図２】
2019131194.tif 000004
【図３】
2019131194.tif 000005
【図４】
2019131194.tif 000006
【図５】
2019131194.tif 000007
【図６】
2019131194.tif 000008